(57)【要約】【課題】利便性を向上できる冷蔵庫を提供する。【解決手段】前面に開口部５ａが開口した貯蔵室５を有する本体部２と、本体部２に枢支して開口部５ａを開閉する扉６と、扉６の背面側に設けられるドアポケット７と、貯蔵室５内に配されて前後方向にスライド可能に支持される収納ケース１１とを備えた冷蔵庫１において、収納ケース１１が貯蔵室５の前部に前壁１２ａを有した第１収納部１２と、前壁１２ａを介して第１収納部１２の前方に隣接する第２収納部１３とを有し、第２収納部１３がドアポケット７の下面に面して配置される。【選択図】図３
2015161415.tif 000002
【特許請求の範囲】
【請求項１】
前面に開口部が開口した貯蔵室を有する本体部と、前記本体部に枢支して前記開口部を開閉する扉と、前記扉の背面側に設けられるドアポケットと、前記貯蔵室内に配されて前後方向にスライド可能に支持される収納ケースとを備えた冷蔵庫において、前記収納ケースが前記貯蔵室の前部に前壁を有した第１収納部と、前記前壁を介して第１収納部の前方に隣接する第２収納部とを有し、第２収納部が前記ドアポケットの下面に面して配置されることを特徴とする冷蔵庫。
【請求項２】
前記貯蔵室を上下に仕切る仕切板を備え、第１収納部の前記前壁を含む周壁が前記仕切板に近接して第１収納部の上面が前記仕切板により塞がれるとともに第２収納部が前記仕切板の前端よりも前方に配置されることを特徴とする請求項１に記載の冷蔵庫。
【請求項３】
第２収納部の前面に凹設される凹部と、前記凹部の上部の前面を覆って前記収納ケースのスライド時に把持される把持部とを設け、第２収納部が前記凹部と第１収納部の前記前壁との間に収納スペースを有することを特徴とする請求項１または請求項２に記載の冷蔵庫。
【請求項４】
第１収納部の前記前壁が上方を後方に傾斜することを特徴とする請求項１〜請求項３のいずれかに記載の冷蔵庫。
【請求項５】
第２収納部の前壁が前記開口部よりも前方に突出するとともに、前記扉の背面に第２収納部が進入する進入部を凹設したことを特徴とする請求項１〜請求項４のいずれかに記載の冷蔵庫。
【発明の詳細な説明】
【技術分野】
【０００１】
本発明は、スライド移動する収納ケースを有した冷蔵庫に関する。
【背景技術】
【０００２】
従来の冷蔵庫は特許文献１に開示される。この冷蔵庫は本体部を備えている。本体部には上から順に前面に開口した第１開口部を備えた冷凍室、第２開口部を備えた冷蔵室を有する。本体部には第１開口部、第２開口部を開閉する第１扉、第２扉が設けられている。冷蔵室内の下部にはスライド移動する収納ケースが設けられている。収納ケースの上面は仕切板により覆われ、収納ケース内には野菜などが収納される。
【０００３】
第２扉の内壁面にはペットボトル等の貯蔵物を収納するドアポケットが上下に並設されている。
【先行技術文献】
【特許文献】
【０００４】
【特許文献１】特開２０１２−３７１２５号公報
【発明の概要】
【発明が解決しようとする課題】
【０００５】
しかしながら、上記従来の冷蔵庫によると、第２扉のドアポケットが上下に並設される。このため、下方のドアポケットに収納される貯蔵物の上方には、貯蔵物を出し入れする際に上方のドアポケットとの干渉を避けるために空間が形成される。従って、冷蔵庫の貯蔵スペースが狭くなり、利便性が低下する問題があった。また、下方のドアポケットに収納される貯蔵物を出し入れする際に、上方のポケットが邪魔になり、冷蔵庫の利便性が低下する問題があった。
【０００６】
本発明は、利便性を向上できる冷蔵庫を提供することを目的とする。
【課題を解決するための手段】
【０００７】
上記目的を達成するために本発明は、前面に開口部が開口した貯蔵室を有する本体部と、前記本体部に枢支して前記開口部を開閉する扉と、前記扉の背面側に設けられるドアポケットと、前記貯蔵室内に配されて前後方向にスライド可能に支持される収納ケースとを備えた冷蔵庫において、前記収納ケースが前記貯蔵室の前部に前壁を有した第１収納部と、前記前壁を介して第１収納部の前方に隣接する第２収納部とを有し、第２収納部が前記ドアポケットの下面に面して配置されることを特徴とする。
【０００８】
また本発明は、上記構成の冷蔵庫において、前記貯蔵室を上下に仕切る仕切板を備え、第１収納部の前記前壁を含む周壁が前記仕切板に近接して第１収納部の上面が前記仕切板により塞がれるとともに第２収納部が前記仕切板の前端よりも前方に配置されることを特徴とする。
【０００９】
また本発明は、上記構成の冷蔵庫において、前記貯蔵室内に上部から冷気が供給されるとともに、前記収納ケースが前記貯蔵室の下部に配置されることを特徴とする。
【００１０】
また本発明は、上記構成の冷蔵庫において、第２収納部の前面に凹設される凹部と、前記凹部の上部の前面を覆って前記収納ケースのスライド時に把持される把持部とを設け、第２収納部が前記凹部と第１収納部の前記前壁との間に収納スペースを有することを特徴とする。
【００１１】
また本発明は、上記構成の冷蔵庫において、第２収納部の前壁が前記凹部の上方に延設され、第２収納部が前記凹部の上方に収納スペースを有することを特徴とする。
【００１２】
また本発明は、上記構成の冷蔵庫において、第１収納部の前記前壁が上方を後方に傾斜することを特徴とする。
【００１３】
また本発明は、上記構成の冷蔵庫において、第２収納部の前壁が前記開口部よりも前方に突出するとともに、前記扉の背面に第２収納部が進入する進入部を凹設したことを特徴とする。
【発明の効果】
【００１４】
本発明によると、収納ケースの第１収納部の前方に隣接した第２収納部がドアポケットの下面に面して配置されるので、扉を開いてドアポケットの下方の第２収納部に対して貯蔵物が出し入れされる。このため、第２収納部内の貯蔵物とドアポケットとの間に空間が形成されず、冷蔵庫の貯蔵スペースを広くすることができる。又、第２収納部の貯蔵物を出し入れする際、ドアポケットが邪魔にならない。また、第２収納部が第１収納部の前方に配置されるので、扉の開閉に伴う第１収納部への温度変動が低減できる。従って、冷蔵庫の利便性を向上することができる。
【図面の簡単な説明】
【００１５】
【図１】本発明の第１実施形態の冷蔵庫を示す側面断面図
【図２】本発明の第１実施形態の収納ケースを示す正面図
【図３】図２のＡ−Ａ断面図
【図４】本発明の第２実施形態の収納ケースの断面図
【発明を実施するための形態】
【００１６】
以下に本発明の実施形態を図面を参照して説明する。図１は第１実施形態の冷蔵庫１の側面断面図を示している。冷蔵庫１は外箱２４と内箱２５との間にポリウレタンフォーム等の発泡断熱材２６を充填した断熱箱体を有した本体部２を備えている。
【００１７】
本体部２には上方から順に貯蔵室を形成する冷凍室３、冷蔵室５が設けられている。冷凍室３と冷蔵室５との間は断熱壁２９によって仕切られている。断熱壁２９には発泡スチロール等の断熱材が充填されている。
【００１８】
冷凍室３は貯蔵物を冷凍保存し、前面の開口部３ａは本体部２に枢支した回動式の扉４により開閉される。
【００１９】
冷蔵室５は貯蔵物を冷蔵保存し、前面の開口部５ａは本体部２に枢支した回動式の扉６により開閉される。扉６の背面の上下方向の中央部にはドアポケット７が設けられている。ドアポケット７は高さが３００ｍｍ程度に形成される１．５〜２ＬのペットボトルＱを収納できる大きさに形成されている。ドアポケット７よりも下方の扉６の背面の下部には進入部６ａが凹設されている。
【００２０】
冷蔵室５内には上から順に貯蔵物が載置される仕切板８、９、１０が並設されている。仕切板９の前方にはドアポケット７が設けられている。仕切板１０の下方の冷蔵室５の底部には収納ケース１１が前後方向にスライド可能に設けられている。
【００２１】
収納ケース１１の背面側には機械室２０が設けられている。機械室２０には冷凍サイクルを運転する圧縮機２１が配されている。
【００２２】
冷凍室３背後には冷気が流通する冷気通路２７が設けられている。冷気通路２７は冷凍室３内に臨む吐出口２７ａ及び戻り口２７ｂが開口する。冷気通路２７には冷凍サイクルの低温部となる冷却器２２が配されている。冷却器２２の上方には送風ファン（不図示）が配されている。
【００２３】
冷蔵室５の背後にはダンパ（不図示）を介して冷気通路２７に連通する冷気通路２８が設けられている。冷気通路２８には冷却器２２で生成された冷気が吐出される吐出口２８ａが開口している。これにより、冷蔵室５内には上部から冷気が供給される。また、断熱壁２９には冷蔵室５から冷却器２２に冷気を戻す戻り通路（不図示）が設けられ、戻り通路は断熱壁２９の前部に戻り口（不図示）を開口する。
【００２４】
収納ケース１１は第１収納部１２及び第２収納部１３を有している。第１収納部１２の前壁１２ａを含む周壁は仕切板１０に近接し、第１収納部１２の上面が仕切板１０により塞がれている。
【００２５】
冷蔵室５の上方から供給される冷気は底部の収納ケース１１に到達するまでに冷蔵室５内の仕切板１０より上方の貯蔵物と熱交換し昇温される。そして、第１収納部１２内は周囲を収納ケース１１と仕切板１０により閉空間を形成し、その外周を流通する冷気により間接冷却される構造を有する。これにより、第１収納部１２内の乾燥を低減して第１収納部１２内が保湿される。このため、第１収納部１２は野菜や果物等の貯蔵物を収納するのに適した環境の貯蔵室（野菜室）を形成する。尚、第１収納部１２の前壁１２ａは冷蔵室５の前部に配され、これにより、第１収納部１２の貯蔵スペースを広く形成できる。
【００２６】
第２収納部１３は第１収納部１２の前方に前壁１２ａを介して隣接して設けられている。また、第２収納部１３は仕切板１０の前端１０ａよりも前方に配され、上方が開放されている。また、第２収納部１３はドアポケット７の下面に面して配される。これにより、第２収納部１３内には例えば、内容量が５００ｍＬのペットボトルＰ等の貯蔵物が収納される。この時、第１収納部１２の前壁１２ａは上方を後方に傾斜する。このため、第２収納部１３に対して貯蔵物を容易に出し入れすることができる。
【００２７】
また、第２収納部１３は上方を開口しているので上方からの冷気の受け皿となる。このため、第２収納部１３に蓄積した冷気により、第１収納部１２の貯蔵物の冷却も促進することができる。
【００２８】
図２は収納ケース１１の正面図を示し、図３は図２のＡ−Ａ断面図を示している。第２収納部１３の前壁１３ａの左右方向の中央部には凹部１４が凹設されている。凹部１４の上部には背壁１４ａの上端から延びて前面を覆う把持部１５が設けられている。凹部１４に挿入された手指により把持部１５を把持して収納ケース１１を前後方向にスライド移動させることができる。
【００２９】
第２収納部１３は把持部１５の両側方にそれぞれ内容量が５００ｍＬの複数のペットボトルＰ等を収納するドリンクポケット１７、１８が形成されている。また、凹部１４の背壁１４ａと第１収納部１２の前壁１２ａとの間にはチューブ容器Ｋ等の小物の貯蔵物の収納スペースである小物ポケット１６が形成されている。
【００３０】
小物ポケット１６は左右方向の中央部に配され、上面を開口した開口部１６ａを有している。小物ポケット１６は開口部１６ａからチューブ容器Ｋ等の小物の貯蔵物を挿入して貯蔵物を収納する。
【００３１】
上記構成の冷蔵庫１において、圧縮機２１及び送風ファン（不図示）の駆動によって冷気通路２７を流通する空気と冷却器２２とが熱交換して生成された冷気が吐出口２７ａから冷凍室３に吐出される。吐出口２７ａから吐出された冷気は冷凍室３内を流通し、戻り口２７ｂを介して冷却器２２に戻る。これにより、冷凍室３内の冷却が行われる。
【００３２】
ダンパ（不図示）が開かれると冷気通路２７から冷気通路２８に冷気が流入し、冷気が吐出口２８ａから冷蔵室５の上部に吐出され、冷蔵室５内を流通して戻り口（不図示）から流出する。これにより、冷蔵室５内の冷却が行われる。
【００３３】
また、冷凍室３内には扉４を開いて貯蔵物が出し入れされる。扉６が開かれると冷蔵室５内に及びドアポケット７内に貯蔵物が出し入れされ、収納ケース１１を引き出して第１収納部１２内に貯蔵物が出し入れされる。また、扉６を開くとドアポケット７が第２収納部１３上から退避するため、第２収納部１３内に貯蔵物を出し入れすることができる。
【００３４】
本実施形態によると、収納ケース１１の第１収納部１２の前方に隣接した第２収納部１３がドアポケット７の下面に面して配置されるので、扉６を開いてドアポケット７の下方の第２収納部１３に対して貯蔵物が出し入れされる。このため、第２収納部１３内の貯蔵物はドアポケット７との間の空間を最大限に使用できることとなり、無効な空間が形成されず、冷蔵庫１の貯蔵スペースを広く有効活用することができる。又、第２収納部１３の貯蔵物を出し入れする際、ドアポケット７が邪魔にならない。従って、冷蔵庫１の利便性を向上することができる。上方を開口した第２収納部１３が第１収納部１２の前方に配置されるので、第２収納部１３の貯蔵物や滞留している冷気が温度の緩衝材となり、扉６の開閉に伴う第１収納部１２への温度変動を小さくすることができる。
【００３５】
また、冷蔵室５を上下に仕切る仕切板１０を備え、第１収納部１２の前壁１２ａを含む周壁が仕切板１０に近接して第１収納部１２の上面が仕切板１０により塞がれるとともに第２収納部１３が仕切板１０の前端１０ａよりも前方に配置される。これにより、第１収納部１２内を保湿して野菜室として利用することができるとともに、収納ケース１１を前後方向にスライドさせなくても第２収納部１３内の貯蔵物を出し入れすることができる。
【００３６】
また、第２収納部１３の前面に凹設される凹部１４と、凹部１４の上部の前面を覆って収納ケース１１のスライド時に把持される把持部１５とを設け、第２収納部１３が凹部１４と第１収納部１２の前壁１２ａとの間に小物ポケット１６から成る収納スペースを有するため、冷蔵庫１の貯蔵スペースをより広くして利便性をより向上できる。
【００３７】
また、第１収納部１２の前壁１２ａが上方を後方に傾斜するため、第２収納部１３に対して貯蔵物を容易に出し入れすることができる。
【００３８】
また、第２収納部１３の前壁１３ａが開口部５ａよりも前方に突出するとともに、扉６の背面に第２収納部１３が進入する進入部６ａを凹設したため、収納ケース１１の容量を大きくすることができる。
【００３９】
（第２実施形態）
次に図４は第２実施形態の冷蔵庫１の収納ケース１１を示す側面断面図である。説明の便宜上、前述の図１〜図３に示す第１実施形態と同様の部分には同一の符号を付している。本実施形態において第２収納部１３の凹部１４の配置が異なっており、その他は第１実施形態と同様である。
【００４０】
収納ケース１１の把持部１５を形成する凹部１４は第２収納部１３の前壁１３ａの上端よりも低い位置に凹設され、前壁１３ａが凹部１４の上方に延設される。これにより、凹部１４の上方であって前壁１３ａと小物ポケット１６との間には収納スペース１９が設けられている。このため、収納スペース１９の底壁１９ａ上に小物を載置することができる。また、底壁１９ａが後部を上方に傾斜してもよい。これにより、収納スペース１９に収納した小物が小物ポケット１６に落ち難くなる。
【００４１】
本実施形態によると、第２収納部１３の前壁１３ａが凹部１４の上方に延設され、第２収納部１３が凹部１４の上方に収納スペース１９を有している。これにより、第２収納部１３に貯蔵物を収納できるスペースを増設し、利便性を向上できる。
【００４２】
（第３実施形態）
次に、第３実施形態について説明する。本実施形態は第１実施形態と同様のスライド可能な収納ケース１１が冷凍室３内に配され、冷凍室３の扉４の背面側にドアポケットが設けられている。この時、収納ケース１１の第２収納部１３はドアポケットの下面に面して配置される。収納ケース１１の第１収納部１２には冷凍食品や製氷された氷等の貯蔵物が保存され、第２収納部１３に棒状のアイスクリームや保冷剤等の貯蔵物が収納される。
【００４３】
扉４を開くとドアポケットが第２収納部１３の上方から退避し、第２収納部１３に貯蔵物を出し入れすることができる。これにより、第１実施形態と同様の効果を得ることができる。
【産業上の利用可能性】
【００４４】
本発明によると、スライド移動する収納ケースを備えた冷蔵庫に利用することができる。
【符号の説明】
【００４５】
１    冷蔵庫
２      本体部
３      冷凍室
３ａ    開口部
４      扉
５      冷蔵室
５ａ    開口部
６      扉
６ａ    進入部
７      ドアポケット
８、９、１０  仕切板
１０ａ  前端
１１    収納ケース
１２    第１収納部（野菜室）
１２ａ  前壁
１３    第２収納部
１３ａ  前壁
１４    凹部
１４ａ  背壁
１５    把持部
１６    小物ポケット
１７    ドリンクポケット
１８    ドリンクポケット
１９    収納スペース
１９ａ  底壁
２０    機械室
２１    圧縮機
２２    冷却器
２４    外箱
２５    内箱
２６    発泡断熱材
２７    冷気通路
２７ａ  吐出口
２７ｂ  戻り口
２８    冷気通路
２８ａ  吐出口
２９    断熱壁
Ｋ      チューブ容器
Ｐ      ペットボトル
Ｑ      ペットボトル
【図１】
2015161415.tif 000003
【図２】
2015161415.tif 000004
【図３】
2015161415.tif 000005
【図４】
2015161415.tif 000006